(57)【特許請求の範囲】
【請求項１】
底面が開口した箱型であり、気流を発生させる送風機を収容する本体と、
前記送風機を室内側から覆うファンケーシングと、
リモートコントローラ受信部を備え、前記ファンケーシングに設置されたワイヤレスリモートコントローラ受信基板と、
前記ワイヤレスリモートコントローラ受信基板を室内側から覆うように前記ファンケーシングに装着されたワイヤレスリモートコントローラ受信基板カバーと、
前記本体の室内側に軸支持及び爪係合で開閉可能に固定され、閉じた状態において、前記ワイヤレスリモートコントローラ受信基板カバーを室内側に露出させる開口部が設けられた化粧パネルとを有し、
前記ワイヤレスリモートコントローラ受信基板カバーは、周縁部に第１の傾斜形状を有し、
前記化粧パネルは、前記開口部の縁に前記第１の傾斜形状と平行になる第２の傾斜形状を有することを特徴とする送風装置。
【請求項２】
前記軸支持は、前記本体に設けられた軸と、前記化粧パネルに設けられた軸穴との係合によってなされており、
前記軸穴は、前記化粧パネルの面方向において前記軸との間に隙間を生じる長穴形状であることを特徴とする請求項１に記載の送風装置。
【請求項３】
前記化粧パネルは、前記開口部の周囲に第１の位置決めリブ及び第２の位置決めリブを有し、
前記本体は、第３の位置決めリブを有し、
前記第１の位置決めリブと前記ワイヤレスリモートコントローラ受信基板カバーの端面とで、前記軸の軸方向と直交する方向及び前記軸の軸方向のいずれか一方の方向において前記化粧パネルを位置決めし、
前記第２の位置決めリブと前記第３の位置決めリブとで、前記軸の軸方向と直交する方向及び前記軸の軸方向の他方の方向において前記化粧パネルを位置決めしたことを特徴とする請求項２に記載の送風装置。
【請求項４】
前記第３の位置決めリブは、弾性体であり、前記化粧パネルの開閉時には前記第２の位置決めリブに押される力により変形し、前記化粧パネルを開閉する動作が終わると元の形状に戻ることを特徴とする請求項３に記載の送風装置。
【請求項５】
前記本体の開口した一面に天井面と平行方向に張出すフランジを有し、前記第３の位置決めリブは、前記フランジに設けられていることを特徴とする請求項３に記載の送風装置。
【請求項６】
前記第１の傾斜形状及び前記第２の傾斜形状は、閉じた状態の前記化粧パネルの面に対する傾斜角度が３０度から６０度であることを特徴とする請求項１から５のいずれか１項に記載の送風装置。
【発明の詳細な説明】
【技術分野】
【０００１】
本発明は、本体室内側前面に化粧パネルを備え、ワイヤレスリモートコントローラにより運転操作をする送風装置に関する。
【背景技術】
【０００２】
本体内部に送風機を有し、本体室内側前面に化粧パネルを備え、ワイヤレスリモートコントローラにより運転操作をする送風装置は、ワイヤレスリモートコントローラの受信基板を収納したワイヤレスリモートコントローラ受信基板カバーを化粧パネルに設けた開口部から室内側に露出させる構造とする場合がある。また、本体と化粧パネルとは、軸と爪との係合により取付けられることが一般的である。【０００３】
特許文献１には、化粧パネルに開口部を設けワイヤレスリモートコントローラ受信基板カバーを室内側に露出する構造の換気装置が開示されている。
【先行技術文献】
【特許文献】
【０００４】
【特許文献１】特許第４５２７０７１号公報
【発明の概要】
【発明が解決しようとする課題】
【０００５】
しかしながら、上記特許文献１に開示される換気装置は、ワイヤレスリモートコントローラ受信基板カバーと化粧パネルとの嵌合、並びに本体と化粧パネルとの間での軸及び軸の係合があるため、部品の寸法ばらつきにより化粧パネルの開閉性に影響が生じたり、化粧パネルが閉じられない不具合が発生したりする懸念がある。すなわち、特許文献１に開示される換気装置は、部品の寸法ばらつきにより化粧パネルがワイヤレスリモートコントローラ受信基板カバーに乗り上げて化粧パネルを閉じることができなくなったりする可能性がある。部品の寸法がばらついても化粧パネルを閉じることができるように化粧パネルとワイヤレスリモートコントローラ受信基板カバーとの隙間を大きく取ると、意匠性が悪化してしまう。【０００６】
本発明は、上記に鑑みてなされたものであって、意匠性を悪化させることなく、部品の寸法がばらついても化粧パネルを閉じることを可能にした送風装置を得ることを目的とする。
【課題を解決するための手段】
【０００７】
上述した課題を解決し、目的を達成するために、本発明は、底面が開口した箱型であり、気流を発生させる送風機を収容する本体と、送風機を室内側から覆うファンケーシングと、リモートコントローラ受信部を備え、ファンケーシングに設置されたワイヤレスリモートコントローラ受信基板と、ワイヤレスリモートコントローラ受信基板を室内側から覆うようにファンケーシングに装着されたワイヤレスリモートコントローラ受信基板カバーと、本体の室内側に軸支持及び爪係合で開閉可能に固定され、閉じた状態において、ワイヤレスリモートコントローラ受信基板カバーを室内側に露出させる開口部が設けられた化粧パネルとを有する。ワイヤレスリモートコントローラ受信基板カバーは、周縁部に第１の傾斜形状を有する。化粧パネルは、開口部の縁に第１の傾斜形状と平行になる第２の傾斜形状を有する。軸支持は、本体に設けられた軸と、化粧パネルに設けられた軸穴との係合によってなされている。軸穴は、化粧パネルの面方向において軸との間に隙間を生じる長穴形状である。
【発明の効果】
【０００８】
本発明に係る送風装置は、意匠性を悪化させることなく、部品の寸法がばらついても化粧パネルを閉じることができるという効果を奏する。
【図面の簡単な説明】
【０００９】
【図１】実施の形態に係る送風装置である循環ファンの取付け状態を示す断面図
【図２】実施の形態に係る循環ファンの斜視図
【図３】実施の形態に係る循環ファンの背面図
【図４】実施の形態に係る循環ファンの化粧パネルを外した状態での正面図
【図５】実施の形態に係る循環ファンの側面図
【図６】実施の形態に係る循環ファンの埃取フィルタ取付部を示した斜視図
【図７】実施の形態に係る循環ファンのファンケーシングの斜視図
【図８】実施の形態に係る循環ファンの埃取フィルタの斜視図
【図９】実施の形態に係る循環ファンの化粧パネルを開いた状態を示した側面図
【図１０】実施の形態に係る循環ファンの化粧パネルの開口部とワイヤレスリモートコントローラ受信基板カバーの傾斜部とを示した断面図
【図１１】実施の形態に係る循環ファンの化粧パネルの開口部とワイヤレスリモートコントローラ受信基板カバーの傾斜部とを示した断面図
【図１２】実施の形態に係る循環ファンの化粧パネルの斜視図
【図１３】実施の形態に係る循環ファンの吸込み部及び吹出し部を示した斜視図
【図１４】実施の形態に係る循環ファンの空気清浄装置を示した斜視図
【図１５】実施の形態に係る循環ファンの脱臭フィルタ搭載部を示した斜視図
【図１６】実施の形態に係る循環ファンの空気清浄装置の高電圧部を示した斜視図
【図１７】実施の形態に係る循環ファンの空気清浄装置の給電部を示した斜視図
【図１８】実施の形態に係る循環ファンの空気清浄装置の取付構造を示した斜視図
【図１９】実施の形態に係る循環ファンの空気清浄装置の取付構造を示した斜視図
【発明を実施するための形態】
【００１０】
以下に、本発明の実施の形態に係る送風装置を図面に基づいて詳細に説明する。なお、この実施の形態によりこの発明が限定されるものではない。
【００１１】
実施の形態．
図１は、実施の形態に係る送風装置である循環ファンの取付け状態を示す断面図である。図２は、実施の形態に係る循環ファンの斜視図である。図３は、実施の形態に係る循環ファンの背面図である。図４は、実施の形態に係る循環ファンの化粧パネルを外した状態での正面図である。図５は、実施の形態に係る循環ファンの側面図である。実施の形態に係る送風装置である循環ファンは、室内の天井に取付けられて室内の空気を循環させる。実施の形態に係る循環ファンは、樹脂製の本体１と、気流を発生させる送風機である多翼式送風機２と、多翼式送風機２を収納するファンケーシング４と、多翼式送風機２の後流側に配置される空気清浄装置５と、化粧パネル６とで構成されている。多翼式送風機２は、モータ７と、モータ７の駆動軸に差し込まれて結合されたファン３とから構成されている。
【００１２】
本体１の背面には、外部電源電線を接続可能な端子台８と、制御回路１０を収容する回路収納ケース９とが設置されている。本体１の内部には、化粧パネル６を通じてファンケーシング４の吸込口１１から吸われた空気が、多翼式送風機２によってファンケーシング４の内壁に沿って下流の空気清浄装置５を通過し、化粧パネル６を通じて室内へ吹き出されるように風路が構成されている。
【００１３】
図６は、実施の形態に係る循環ファンの埃取フィルタ取付部を示した斜視図である。本体１には、循環ファンの運転状態を切り替える赤外線信号をワイヤレスリモートコントローラから受信するワイヤレスリモートコントローラ受信部１６ａを備えたワイヤレスリモートコントローラ受信基板１６と、ワイヤレスリモートコントローラ受信基板１６を覆うワイヤレスリモートコントローラ受信基板カバー１７とが設置されている。したがって、循環ファンの運転状態は、ワイヤレスリモートコントローラにより操作可能である。図２に示すように、化粧パネル６には、ワイヤレスリモートコントローラ受信基板カバー１７を室内側に露出させる開口部６ｃが設けられている。
【００１４】
図１に示すように、本体１は、底面が開口した箱型であり、開放されている底面と対向する面である天面には、モータ７が設置されている。本体１の底面には、取付面１５と平行な方向に張り出す正方形のフランジ１ａが設けられている。図４に示すように、フランジ１ａには、固定ねじ取付部１ｂが８箇所に形成されている。実施の形態に係る循環ファンは、フランジ１ａに８箇所設けた固定ねじ取付部１ｂを利用し、固定ねじ取付部１ｂのうち４箇所以上に固定ねじを通して締めることによって、取付面１５へ固定される。
【００１５】
図７は、実施の形態に係る循環ファンのファンケーシングの斜視図である。図８は、実施の形態に係る循環ファンの埃取フィルタの斜視図である。ファンケーシング４は、下面が開放されて吸込口１１が形成されている。図６、図７及び図８に示すように、ファンケーシング４には埃取りフィルタ１２を固定するための固定部４ａ及び爪引掛部４ｂが設けられており、吸込口１１の風路の上流側には埃取りフィルタ１２が設置されている。固定部４ａに埃取りフィルタ１２の固定部１２ａを嵌合させること、及び爪引掛部４ｂに埃取りフィルタ１２の爪部１２ｂを嵌合させることで、埃取りフィルタ１２がファンケーシング４に固定される。埃取りフィルタ１２は、着脱操作を行う際に手を掛ける手掛部１２ｃを備えており、フィルタ面に触れることなく埃取りフィルタ１２をファンケーシング４に着脱できるようになっている。
【００１６】
また、ファンケーシング４は、ワイヤレスリモートコントローラ受信基板１６が収納される収納部４ｄを備える。ワイヤレスリモートコントローラ受信基板１６には、ワイヤレスリモートコントローラ受信部１６ａと運転表示発光ダイオード（Light  Emitting  Diode,  LED）１６ｂとが設けられている。ワイヤレスリモートコントローラ受信基板１６は、図７に示すファンケーシング４の収納部４ｄの固定リブ４ｅと図４に示すワイヤレスリモートコントローラ受信基板カバー１７との挟み込みによって固定される。
【００１７】
図４に示すように、ワイヤレスリモートコントローラ受信基板カバー１７の前面には、ワイヤレスリモートコントローラ受信基板１６への埃付着防止のため、及びワイヤレスリモートコントローラから発信される赤外線の透過と運転表示発光ダイオード１６ｂが発する光の透過とのために、デコレーションプレート１７ａが貼り付けられている。また、ワイヤレスリモートコントローラ受信基板カバー１７は、デコレーションプレート１７ａが貼り付けられる部分の周囲の外壁に、第２の傾斜形状を有する傾斜部１７ｂが設けられている。ワイヤレスリモートコントローラ受信基板カバー１７は、ファンケーシング４へねじ止めにより固定される。
【００１８】
化粧パネル６は、樹脂製の一体成形物であり、循環ファンの意匠性の向上及びファン３への異物混入防止を主な目的としている。実施の形態に係る循環ファンは、意匠性を考慮し、化粧パネル６は、前面がフラットな形状とされている。なお、化粧パネル６の前面とは、室内に露出する下側の面である。化粧パネル６は前面がフラットな形状であるため、実施の形態に係る循環ファンは、図５に示すように、天井である取付面１５と平行な方向で空気の吸込み及び吹出しを行う。
【００１９】
化粧パネル６は、図５に示すように、本体１の軸１ｄが、化粧パネル６の軸穴６ａに係合されること、及び化粧パネル６の爪６ｂが、本体１の爪１ｅに係合されることで固定される。図９は、実施の形態に係る循環ファンの化粧パネルを開いた状態を示した側面図である。化粧パネル６の爪６ｂを本体１の爪１ｅから外すことで、図９に示すように軸１ｄ及び軸穴６ａを中心に回動して化粧パネル６が開く。
【００２０】
図１０は、実施の形態に係る循環ファンの化粧パネルの開口部とワイヤレスリモートコントローラ受信基板カバーの傾斜部とを示した断面図である。図１０は、軸１ｄの軸方向に沿った断面を示している。図１１は、実施の形態に係る循環ファンの化粧パネルの開口部とワイヤレスリモートコントローラ受信基板カバーの傾斜部とを示した断面図である。図１１は、軸１ｄの軸方向と直交する方向に沿った断面を示している。開口部６ｃの内壁には第１の傾斜形状を有する傾斜部６ｄが設けられており、開口部６ｃの周囲には第１の位置決めリブである位置決めリブ６ｆと第２の位置決めリブである位置決めリブ６ｇとが設けられている。
【００２１】
ワイヤレスリモートコントローラ受信基板カバー１７の傾斜部１７ｂと化粧パネル６の傾斜部６ｄは、図１０に示すように互いに平行な傾斜形状となっているため、化粧パネル６を閉じる際にワイヤレスリモートコントローラ受信基板カバー１７の上に化粧パネル６が重なってしまっても、傾斜部１７ｂと傾斜部６ｄとが滑る。したがって、化粧パネル６を閉じる際にワイヤレスリモートコントローラ受信基板カバー１７の上に化粧パネル６が重なってしまっても、化粧パネル６が適切な位置に移動し、化粧パネル６を閉じることができる。傾斜部６ｄ及び傾斜部１７ｂは、閉じた状態の化粧パネル６の面に対する傾斜角度が３０度から６０度程度とされており、化粧パネル６の開閉に影響を与えないようになっている。
【００２２】
化粧パネル６は、本体１とは軸支持及び爪係合で固定されるが、軸１ｄと軸穴６ａとの間には、化粧パネル６の面方向に隙間が存在しており、軸１ｄの軸方向と直交する方向において、軸１ｄ及び軸穴６ａが化粧パネル６を位置決めしない構造となっている。軸１ｄと軸穴６ａとの間の隙間は、軸１ｄの直径をφ５ｍｍ、軸穴６ａの化粧パネル６の面方向の長さを８ｍｍとすれば、軸１ｄ、軸穴６ａ及び化粧パネル６を位置決めしない状態にできるが、軸１ｄ及び軸穴６ａの大きさは、これらの値に限定はされない。爪６ｂと爪１ｅについては、図５に矢印Ａおよび矢印Ｂで示す摺動しろが設けられており、爪の係合では化粧パネル６を位置決めしない構造となっている。
【００２３】
化粧パネル６は、位置決めリブ６ｆ，６ｇによって、位置決めがなされる。化粧パネル６の開口部６ｃの長辺方向においては、第１の位置決めリブである位置決めリブ６ｆとワイヤレスリモートコントローラ受信基板カバー１７の端面１７ｃとで位置決めがなされる。化粧パネル６の開口部６ｃの短辺方向においては、第２の位置決めリブである位置決めリブ６ｇと本体１のフランジ１ａに設けた第３の位置決めリブである区切りリブ１ｆとで位置決めがなされる。
【００２４】
区切りリブ１ｆは、力が掛かった際に弾性変形する弾性体であり、化粧パネル６を開閉する際に位置決めリブ６ｇによって押されることによっても弾性変形する。したがって、化粧パネル６の開閉性が悪化することがない。また、区切りリブ１ｆは、化粧パネル６を開閉する動作が終われば、元の形状に戻る構造となっている。実施の形態に係る循環ファンは、天井に固定した場合には、爪１ｅ，６ｂが傾斜形状であるため、自重によって化粧パネル６は図１における紙面左側となる爪６ｂ側にずれるため、開口部６ｃの短辺方向については、位置決めリブ６ｇを設けている方向のみ位置決めすれば問題ない。すなわち、軸１ｄの軸方向に関しては両側から位置決めする必要があるが、軸１ｄの軸方向と直交する方向に関しては、化粧パネル６を閉じる際に、化粧パネル６がずれる方向のみ位置決めすればよい。
【００２５】
なお、開口部６ｃの短辺方向が軸１ｄの軸方向と一致する場合には、開口部６ｃの長辺方向については、化粧パネル６を閉じる際に化粧パネル６がずれる方向のみ位置決めするようにすれば良い。
【００２６】
上記の構造とすることで、本体１及びワイヤレスリモートコントローラ受信基板カバー１７で化粧パネル６の位置決めを可能とし、化粧パネル６の開閉動作不良を防止できる。
【００２７】
実施の形態に係る循環ファンは、上記のように化粧パネル６の一方の半面側から吸込み、他方の半面側から吹出す構造であるため、吸込み側１３と吹出し側１４とを区切る必要がある。図１２は、実施の形態に係る循環ファンの化粧パネルの斜視図である。図１２に示すように、化粧パネル６は、背面に区切りリブ６ｅが設けられている。図６に示したように、本体１も同様に、区切りリブ１ｆが２箇所に設けられている。図７に示したように、ファンケーシング４も同様に、区切りリブ４ｃが設けられている。したがって、吸込み側１３と吹出し側１４とは、区切りリブ６ｅ，１ｆ，４ｃによって区切られている。図１３は、実施の形態に係る循環ファンの吸込み部及び吹出し部を示した斜視図である。図１３に示すように、吸込み方向及び吹出し方向は、化粧パネル６の辺と直交する３方向となっている。区切りリブ１ｆは、上記のとおり、化粧パネル６の位置決めのための機能も備えている。
【００２８】
図１４は、実施の形態に係る循環ファンの空気清浄装置を示した斜視図である。図１５は、実施の形態に係る循環ファンの脱臭フィルタ搭載部を示した斜視図である。空気清浄装置５は、高電圧部５ａと脱臭フィルタ５ｇとを備えている。高電圧部５ａは、放電電極５ｂと対向電極５ｃを有する。放電電極５ｂと対向電極５ｃとは、埃が付着した際に水洗いできるように、水で錆びにくい材質とされている。放電電極５ｂは、タングステンのように強度がある電気伝導体であり、ワイヤ状である。対向電極５ｃは、ステンレスのような電気伝導体であり、放電電極５ｂよりも幅広の形状である。図１６は、実施の形態に係る循環ファンの空気清浄装置の高電圧部を示した斜視図である。高電圧部５ａは、図１６に示すように、放電電極５ｂを両側から挟む形で対向電極５ｃが配置されており、電圧側である放電電極５ｂとグラウンド側である対向電極５ｃとに高電圧をかけると、放電が発生するととともに電界空間が生成される。図１７は、実施の形態に係る循環ファンの空気清浄装置の給電部を示した斜視図である。空気清浄装置５は給電部５ｄを下面に備えている。さらに、空気清浄装置５には、メンテナンスで取り外す際に手を掛ける手掛部５ｆが設けられている。
【００２９】
図１８は、実施の形態に係る循環ファンの空気清浄装置の取付構造を示した斜視図である。図１９は、実施の形態に係る循環ファンの空気清浄装置の取付構造を示した斜視図である。図１７、図１８及び図１９に示すように、空気清浄装置５は、本体１内の空気清浄装置用端子台１８の端子部１８ａに給電部５ｄを接続することにより給電される。また、空気清浄装置５は、本体１の空気清浄装置固定部１ｃに固定面５ｈを引掛け、空気清浄装置用端子台１８の引掛部１８ｂに引掛爪５ｅを嵌合することで固定される。空気清浄装置５は、手掛部５ｆを持ち、引き抜き、差し込みすることで容易に着脱ができる。
【００３０】
実施の形態に係る循環ファンは、意匠性を悪化させることなく、部品の寸法がばらついても化粧パネル６を閉じることを可能とすることができる。
【００３１】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３２】
１  本体、１ａ  フランジ、１ｂ  固定ねじ取付部、１ｃ  空気清浄装置固定部、１ｄ  軸、１ｅ，６ｂ  爪、１ｆ，４ｃ，６ｅ  区切りリブ、２  多翼式送風機、３  ファン、４  ファンケーシング、４ａ，１２ａ  固定部、４ｂ  爪引掛部、４ｄ  収納部、４ｅ  固定リブ、５  空気清浄装置、５ａ  高電圧部、５ｂ  放電電極、５ｃ  対向電極、５ｄ  給電部、５ｅ  引掛爪、５ｆ  手掛部、５ｇ  脱臭フィルタ、５ｈ  固定面、６  化粧パネル、６ａ  軸穴、６ｃ  開口部、６ｄ，１７ｂ  傾斜部、６ｆ，６ｇ  位置決めリブ、７  モータ、８  端子台、９  回路収納ケース、１０  制御回路、１１  吸込口、１２  埃取りフィルタ、１２ｂ  爪部、１２ｃ  手掛部、１３  吸込み側、１４  吹出し側、１５  取付面、１６  ワイヤレスリモートコントローラ受信基板、１６ａ  ワイヤレスリモートコントローラ受信部、１６ｂ  運転表示発光ダイオード、１７  ワイヤレスリモートコントローラ受信基板カバー、１７ａ  デコレーションプレート、１７ｃ  端面、１８  空気清浄装置用端子台、１８ａ  端子部、１８ｂ  引掛部。
【図１】
0006618632.tif 000002
【図２】
0006618632.tif 000003
【図３】
0006618632.tif 000004
【図４】
0006618632.tif 000005
【図５】
0006618632.tif 000006
【図６】
0006618632.tif 000007
【図７】
0006618632.tif 000008
【図８】
0006618632.tif 000009
【図９】
0006618632.tif 000010
【図１０】
0006618632.tif 000011
【図１１】
0006618632.tif 000012
【図１２】
0006618632.tif 000013
【図１３】
0006618632.tif 000014
【図１４】
0006618632.tif 000015
【図１５】
0006618632.tif 000016
【図１６】
0006618632.tif 000017
【図１７】
0006618632.tif 000018
【図１８】
0006618632.tif 000019
【図１９】
0006618632.tif 000020